(57)【要約】      （修正有）【課題】コンパクトで、より経済的に製造される、発光による照明および／または合図用のモジュールないしは装置を提供する。【解決手段】光線を放出することのできる光源（４）と、光源（４）によって放出された光線を集光して反射する反射面（６.２）を有する集光器（６）と、反射面（６.２）から到来する光線を投射して、当該装置の光軸（８）に沿った光ビーム（１２）とする光学系（１０）と、光源（４）および集光器（６）の反射面の虚像（４，６.２）を形成する反射鏡（７）とを備えた発光装置（２）であって、光学系（１０）は、虚像（４，６.２）の像を形成する。【選択図】図１
2020149976.tif 000002
【特許請求の範囲】
【請求項１】
特に自動車両用の発光装置（２；１０２）であって、
−  光線を放出することのできる光源（４；１０４）と、
−  前記光源（４；１０４）によって放出された光線を集光して反射するように構成された反射面（６.２；１０６.２）を有する集光器（６；１０６）と、
−  前記反射面（６.２；１０６.２）から到来する光線を投射して、当該発光装置の光軸（８；１０８）に沿った光ビーム（１２；１１２）とするように構成された光学系（１０；１１０）と、
を備えた発光装置（２；１０２）において、
前記光源および前記集光器（６；１０６）の前記反射面の虚像（４，６.２；１０４，１０６.２）を形成するように構成された反射鏡（７；１０７）を備えると共に、前記光学系（１０；１１０）が前記虚像（４，６.２；１０４，１０６.２）の像を形成するように構成されている、ことを特徴とする発光装置（２；１０２）。
【請求項２】
前記集光器（６；１０６）の前記反射面（６.２；１０６.２）および前記反射鏡（７；１０７）は、前記反射面（６.２；１０６.２）の後方部分によって反射された光線が前記光軸（８，１０８）と平行であるか、または鉛直面内において前記軸に対して２５°以下、好ましくは１０°以下の傾斜角度を有するように構成されている、ことを特徴とする請求項１記載の発光装置（２；１０２）。
【請求項３】
前記反射鏡（７；１０７）は、平坦であると共に、前記光軸（８；１０８）と平行であるか、または前記光軸に対して１０°未満の角度だけ傾けられている、ことを特徴とする請求項１および２のいずれか一項に記載の発光装置（２；１０２）。
【請求項４】
前記光源（４；１０４）は、前記光軸（８；１０８）に垂直な主方向、または前記光軸に垂直な方向に対して２５°未満の角度だけ傾いた主方向へ光線を放出するように構成されている、ことを特徴とする請求項１から３のいずれか一項に記載の発光装置（２；１０２）。
【請求項５】
前記集光器（６；１０６）の前記反射面（６.２；１０６.２）は、楕円状または放物線状のプロファイルを有している、ことを特徴とする請求項１から４のいずれか一項に記載の発光装置（２；１０２）。
【請求項６】
前記反射鏡（７）は、前記集光器（６）の前記反射面（６.２）における前記光学系（１０）の方への延長部分を形成している、ことを特徴とする請求項１から５のいずれか一項に記載の発光装置（２）。
【請求項７】
前記集光器（２）の前記反射面（６.２）は、前記光源（４）によって放出された光線を、前記光軸（８）から離れて行く主方向へ反射するように構成されている、ことを特徴とする請求項１から６のいずれか一項に記載の発光装置（２）。
【請求項８】
前記反射鏡（７）は前記集光器（６）上に形成されている、ことを特徴とする請求項６および７のいずれか一項に記載の発光装置（２）。
【請求項９】
前記光源（１０４）は基板（１１８）上に配置され、前記反射鏡（７）は前記基板（１１８）と整列させられている、ことを特徴とする請求項１から５のいずれか一項に記載の発光装置（１０２）。
【請求項１０】
前記集光器（６）の前記反射面（１０６.２）は、前記光源（１０４）によって放出された光線を、前記光軸（１０８）に近づいて行く主方向へ反射するように構成されており、前記光軸は前記基板（１１８）を貫通している、ことを特徴とする請求項９記載の発光装置（１０２）。
【請求項１１】
前記光学系（１０；１１０）は、前記光源（４；１０４）の前記虚像（４；１０４）と前記反射面（６.２；１０６.２）の前記虚像（６.２；１０６.２）との間に位置する区域内に置かれた焦点（１０.３；１１０.３）を有している、ことを特徴とする請求項１から１０のいずれか一項に記載の発光装置（２；１０２）。
【請求項１２】
前記光学系（１０；１１０）の前記焦点（１０.３；１１０.３）は、前記光軸（８；１０８）に沿って前記虚光源（４；１０４）の前記虚像（４；１０４）の後方で、前記反射面（６.２；１０６.２）の前記虚像（６.２；１０６.２）上に置かれている、ことを特徴とする請求項１１記載の発光装置（２；１０２）。
【請求項１３】
前記光学系は、虚光軸（８；１０８）上に中心のある集束レンズの一部分に相当したレンズ（１０；１１０）を備えており、その虚光軸（８；１０８）は、前記光軸（８；１０８）と平行に当該光学系の前記焦点（１０.３；１１０.３）を通っている、ことを特徴とする請求項１１および１２のいずれか一項に記載の発光装置（２；１０２）。
【請求項１４】
前記集光器（６；１０６）の前記反射面（６.２；１０６.２）は後方縁部（６.２.１；１０６.２.１）を有し、前記光ビーム（１２；１１２）は平坦なカットオフを含んだビームであり、前記カットオフは前記後方縁部の像である、ことを特徴とする請求項１から１３のいずれか一項に記載の発光装置（２；１０２）。
【請求項１５】
前記光源（４；１０４）および前記集光器（６；１０６）は、当該装発光装置が機能する姿勢にあるときに前記光軸（８；１０８）の上方に位置し、前記光ビーム（１２；１１２）の前記カットオフは下方カットオフである、ことを特徴とする請求項１４記載の発光装置（２；１０２）。
【請求項１６】
前記光源（４；１０４）および前記集光器（６；１０６）は、当該装発光装置が機能する姿勢にあるときに前記光軸（８；１０８）の下方に位置し、前記光ビーム（１２’；１１２’）の前記カットオフは上方カットオフである、ことを特徴とする請求項１４記載の発光装置（２’；１０２’）。
【請求項１７】
前記光源（４；１０４）、前記集光器（６；１０６）、および前記光ビーム（１２；１１２）は、それぞれ第１光源、第１集光器、および第１光ビームであり、当該発光装置は、第２光源（１４）と、前記第２光源（１４）によって放出された光線を集光して反射するように構成された反射面を有する第２集光器（１６）とを備え、前記光学系（１０；１１０）は、前記反射面から到来する光線を投射して、当該装置の光軸に沿う、前記反射面の像に対応した第２光ビームとするように構成されている、ことを特徴とする請求項１から１６のいずれか一項に記載の発光装置（２）。
【請求項１８】
前記第１集光器（６；１０６）および前記第１光源（４；１０４）がそれぞれ、前記光軸（８；１０８）に対して前記第２集光器（１６）および前記第２光源（１４）とは反対の側にあるか、または一方の前記第１集光器および前記第１光源と、他方の前記第２集光器および前記第２光源とが横並びで配置されている、ことを特徴とする請求項１７記載の発光装置。
【発明の詳細な説明】
【技術分野】
【０００１】
本発明は、発光による照明や合図の分野、より特定的には自動車両の分野に関する。
【背景技術】
【０００２】
特許文献１（FR 3 047 541 A1）は、向い合って配置される２つの光学モジュールを備えた照明装置を開示している。これら２つの光学モジュールはそれぞれ本質的に、光源と、反射面を有した集光器とを備えている。これら２つの光源は、共通保持体の両側の２面上に配置されている。それぞれの反射面は、光源の共通保持体によって境界付けられた半分の空間内における回転面である。かくして２つの反射面は、互いに向い合った２つの半殻体を成している。２つの光学モジュールの一方は、いわゆるロービームに相当する、平坦なカットオフを含んだ照明ビームを形成するように構成されている。これを為すために当該モジュールは、「カットオフ」縁部と呼ばれる縁部を有した反射面を備え、当該縁部が反射面の焦点のところに位置している。カットオフ縁部の後方で当該面に当たった光線が投射レンズの上方部分に向かって反射されるのに対して、当該縁部の前方を通過する光線は逸らされることなく当該レンズの下方部分に当たる。この効果によって、ビームの本質的に平坦なカットオフが保証される。２つの光学系の他方は、本質的に同様に機能するが、唯一の例外は反射面の焦点がカットオフ縁部の前方に位置していることである。２番目の光学系によって作り出されるビームは、１番目の系のビームと組み合わされてハイビーム（即ち、平坦なカットオフを伴わないビーム）を生じさせる。この構成は、カットオフを含んだビームを利用してハイビームを生じさせるという点において有利である。
【０００３】
そのような発光装置は、偏向器とカットオフ縁部との位置決めに高い精度を必要とする欠点を有している。かくして投射レンズは、その短い焦点距離ゆえに厚いレンズでなければならず、これにより、その重量が増大すると共に（特にヒケの点で）製造を困難にしてしまう。また、集光器は相当の高さを有し、それに伴って相当の高さ方向の体積を有している。
【先行技術文献】
【特許文献】
【０００４】
【特許文献１】仏国特許出願公開第３０４７５４１号明細書
【発明の概要】
【０００５】
本発明の目的は、上述した先行技術における欠点の少なくとも１つを軽減することである。より特定的には、本発明の目的は、コンパクトで、より経済的に製造される、発光による照明および／または合図用のモジュールないしは装置を提供することである。
【０００６】
本発明の主題は、特に自動車両用の発光装置であって、光線を放出することのできる光源と、光源によって放出された光線を集光して反射するように構成された反射面を有する集光器と、反射面から到来する光線を投射して、当該発光装置の光軸に沿った光ビームとするように構成された光学系とを備えた発光装置において、光源および集光器の反射面の虚像を形成するように構成された反射鏡を備えると共に、光学系が当該虚像の像を形成するように構成されている、という点において注目すべき発光装置である。
【０００７】
光源と反射面とによって発光モジュールが形成されている。発光モジュールは、光ビームを形成することができる。発光装置は、複数の発光モジュールを備え得る。存在する発光モジュールが１つだけである場合には、発光装置が発光モジュールと同等であるとみなされ得る。当該発光装置は、その構成要素（例えば、１つないし複数の光源、１つないし複数の集光器、および光学系など）のそれぞれが、その他の構成要素に対して、特に特定の保持体（詳述せず）を介して不動に固定され、かくして、その他の構成要素に対して光学的に定置される、という点においてスタンドアローンの組立体を形成している。かくして、必要な規定の照明および合図機能の全てを（適切な場合には、組み合わせて）遂行するために、ヘッドランプのケーシング内に１つないし複数の発光装置を配置してもよい。
【０００８】
本発明の有利な一実施形態によれば、集光器の反射面および反射鏡は、当該反射面の後方部分によって反射された光線が光軸と平行であるか、または鉛直面内において当該軸に対して２５°以下、好ましくは１０°以下の傾斜角度を有するように構成されている。
【０００９】
本発明の有利な一実施形態によれば、反射鏡は、平坦であると共に、光軸と平行であるか、または当該光軸に対して１０°未満の角度だけ傾けられている。
【００１０】
本発明の有利な一実施形態によれば、光源は、光軸に垂直な主方向、または当該光軸に垂直な方向に対して２５°未満の角度だけ傾いた主方向へ光線を放出するように構成されている。
【００１１】
本発明の有利な一実施形態によれば、集光器の反射面は、楕円状または放物線状のプロファイルを有している。その反射面は、当該プロファイルの回転面であることが好ましい。回転は、光軸と平行なのが有利な軸線回りのものである。一変形例によれば反射面は、自由曲面やスィープ面や非対称面である。その面はまた、複数の部分を含んでいてもよい。
【００１２】
本発明の有利な一実施形態によれば、反射鏡は、集光器の反射面における光学系の方への延長部分を形成している。
【００１３】
本発明の有利な一実施形態によれば、集光器の反射面は、光源によって放出された光線を、光軸から離れて行く主方向へ反射するように構成されている。
【００１４】
本発明の有利な一実施形態によれば、反射鏡は集光器上に形成されている。
【００１５】
本発明の有利な一実施形態によれば、光源は基板上に配置され、反射鏡は当該基板と整列させられている。
【００１６】
本発明の有利な一実施形態によれば、集光器の反射面は、光源によって放出された光線を、光軸に近づいて行く主方向へ反射するように構成されており、当該光軸は基板を貫通している。
【００１７】
本発明の有利な一実施形態によれば、光学系は、虚光源と反射面の虚像との間に位置する区域内に置かれた焦点を有している。
【００１８】
本発明の有利な一実施形態によれば、光学系の焦点は、光軸に沿って虚光源の後方で、反射面の虚像上に置かれている。
【００１９】
本発明の有利な一実施形態によれば、光学系は、虚光軸（virtual optical axis）上に中心のある集束レンズの一部分に相当したレンズを備えており、その虚光軸は、光軸と平行に当該光学系の焦点を通っている。
【００２０】
本発明の有利な一実施形態によれば、集光器の反射面は後方縁部を有し、光ビームは平坦なカットオフを含んだビームであり、当該カットオフは当該後方縁部の像である。
【００２１】
本発明の有利な一実施形態によれば、光源および集光器は、当該装発光装置が機能する姿勢にあるときに光軸の上方に位置し、光ビームのカットオフは下方カットオフである。
【００２２】
本発明の有利な一実施形態によれば、光源および集光器は、当該装発光装置が機能する姿勢にあるときに光軸の下方に位置し、光ビームのカットオフは上方カットオフである。
【００２３】
本発明の有利な一実施形態によれば、光源、集光器、および光ビームは、それぞれ第１光源、第１集光器、および第１光ビームであり、当該発光装置は、第２光源と、第２光源によって放出された光線を集光して反射するように構成された反射面を有する第２集光器とを備え、光学系は、当該反射面から到来する光線を投射して、当該装置の光軸に沿う、当該反射面の像に対応した第２光ビームとするように構成されている。
【００２４】
第１集光器および第１光源が第１発光モジュールを形成し、第２集光器および第２光源が第２発光モジュールを形成する。
【００２５】
発光装置は、第２光源によって照らされた第２集光器の反射面の実像が第２光ビームであるように構成されているのが有利である。この目的のために、第１集光器の反射面によって反射された光線とは相反して、第２集光器の反射面によって反射された光線は、反射鏡によって反射されることなく光学系へと伝えられる。
【００２６】
本発明の有利な一実施形態によれば、第１集光器および第１光源がそれぞれ、光軸に対して第２集光器および第２光源とは反対の側にあるか、または一方の第１集光器および第１光源と、他方の第２集光器および第２光源とが横並びで配置されている。
【００２７】
本発明の手段は、コンパクトで組立てが容易で小数の部品しか含まず、種々の照明および／または合図機能を遂行することのできる発光モジュールないし発光装置を作り出すことを可能とする、という点において有利である。より特定的には、集光器の被照射反射面を映し出すという事実によって、鉛直方向に中心から外れた位置での光の集中を伴った光ビームを作り出すことが可能となる。かくして本発明は、作り出される像を極めて容易に反転させ、それに伴って、遂行されるべき照明および／または合図機能（特に、ロービーム機能およびハイビーム機能）に応じて、１つないし複数の光ビームを調節することを可能とするのである。
【００２８】
本発明のその他の特徴および利点は、明細書および図面によってもっと理解が深まることとなる。
【図面の簡単な説明】
【００２９】
【図１】本発明の第１実施形態による発光装置の模式的表現である。
【図２】図１の発光装置の上方集光器の斜視図である。
【図３】図１の発光装置における集光器の内側の被照射面を光軸に沿って外側から見た図である。
【図４】図１の発光装置によって作り出される照明ビームの発光像の図式的表現である。
【図５】本発明の第１実施形態の一変形例による発光装置の模式的表現である。
【図６】図５の発光装置によって作り出される照明ビームの発光像の図式的表現である。
【図７】本発明の第２実施形態による発光装置の模式的表現である。
【図８】本発明の第２実施形態の一変形例による発光装置の模式的表現である。
【発明を実施するための形態】
【００３０】
以下の説明において、発光装置における光軸の「上方」および「下方」の概念は、その装置が機能する姿勢にあるときの（即ち、その装置がそれに合わせて設計されているところの向きに相当した向きでの）当該発光装置に対するものであると理解されたい。同様に、「前方」および「後方」の概念は、当該装置が機能する姿勢にあるときの光軸に沿った光の全体的な方向に対するものであると理解されたい。
【００３１】
図１から図４は、本発明による発光装置の第１実施形態を示している。
【００３２】
図１は、当該発光装置と、その作動原理との模式的表現である。発光装置２は本質的に、光源４と、当該装置の光軸８に沿った第１光ビーム１２を形成するために光源によって放出された光線を反射することのできる集光器６と、当該ビームを投射するためのレンズ１０とを備えている。投射レンズ以外の投射用の光学系、特に１つないし複数の反射鏡などが想定可能である。
【００３３】
光源４は、半導体光源、特に発光ダイオードであることが有利である。光源４は、当該光源の主面によって境界付けられる半分の空間内において、図示例では当該面と光軸８とに垂直な主方向へ光線を放出する。本発明によれば、放出の主方向は或いは、光軸に垂直な方向に対して２５°以下の角度だけ傾けられることとなる。
【００３４】
集光器６は、殻体ないしキャップの形状の保持体６.１と、保持体６.１の内面上の反射面６.２とを備えている。反射面６.２は、楕円状や放物線状、ないしは自由曲線のプロファイルのものであるのが有利である。発光装置２は、集光器６の反射面６.２の延長箇所に配置された反射鏡７も備えている。反射鏡７は、保持体７.１と、保持体７.１上に形成された平坦な反射面７.２とを備えている。保持体７.１は、集光器の保持体６.１と連なっているか、または隣接していてもよい。集光器６の反射面６.２は、光軸８と平行な軸線周りの回転面であることが有利である。或いは、それは自由曲面やスィープ面や非対称面の問題であってもよい。その面はまた、複数の部分を含んでいてもよい。表現「放物線状」は一般的には、自らの表面が単一の焦点を有している反射器、即ち光線同士が集束する１つの部位（即ち、この集束の部位に配置された光源によって放出された光線が、当該表面から反射された後に長大な距離まで投射されるような１つの部位）を有している反射器に当てはまる。長大な距離まで投射されるとは、これらの光線が、反射器の寸法の少なくとも１０倍の所に位置した部位へ向かっては集束しないことを意味する。換言すれば、反射された光線同士が、ある１つの集束の部位に向かって集束しないか、或いは集束するとしても、この集束の部位が反射器の寸法の１０倍以上の距離に位置しているのである。従って放物線状の表面は、放物線状の部分を含んでいてもいなくてもよい。そのような表面を有する反射器は、一般的には単独で光ビームを作り出すのに用いられる。或いは、その反射器は、楕円状反射器と関連付けられる投射面として用いられてもよい。この場合は、放物線状反射器の光源が、楕円状反射器によって反射される光線の集束の部位なのである。
【００３５】
反射鏡７（より特定的には、その平坦な反射面７.２）は、光軸８と平行であることが有利である。但し、それは当該軸に対して、例えば１０°以下の角度だけ傾いていてもよい。傾いている場合、反射鏡は、光の伝播の主方向で（即ち、光源４から投射レンズ１０へと）光軸から離れて行っているのが有利である。
【００３６】
殻体ないしキャップの形状の集光器６は、優れた耐熱性を有する材料から、例えばガラス、またはポリカーボネートＰＣやポリエーテルイミドＰＥＩなどの合成高分子化合物で作られているのが有利である。
【００３７】
光源４は、その光線が集められて反射鏡７へ向かって反射されるように、集光器６における反射面６.２の焦点の所に配置されている。反射鏡７は、反射面６.２の虚像６.２と、光源４の虚像４とを形成する。これらの虚像は、図１に破線で示されている。光学系１０は、反射面６.２の虚像６.２および光源４の虚像４の発光像を投射する。反射鏡７によって反射されたこれらの光線の少なくとも一部は、鉛直面内で前記軸に対して２５°以下、好ましくは１０°以下の傾斜角度αを有している。それは、無非点収差（即ち、投射された像の鮮明性）が得られることを可能とする所謂ガウス条件のもとにあるようにである。それは、集光器６の反射面６.２の後方部分によって反射された光線の問題であることが有利である。
【００３８】
投射レンズ１０は、第１入光面１０.１および出光面１０.２を有している。レンズ１０は、薄いもの、例えば光軸に沿って７ｍｍ未満の厚さのものであると考えられる。それは特に、その低いレンズ高と長い焦点距離とが理由である。レンズ１０は、虚光源と反射面の虚像との間に位置するのが有利な焦点１０.３を有し得る。当該の焦点１０.３は、反射面６.２および光源４の虚像６.２および４同士の間に位置した区域６.３内に置かれているのが有利である。この場合、焦点は、軸線方向において（即ち、光軸に沿って）虚光源４の虚像４の後方で、反射面６.２の虚像６.２上に置かれていてよい。この焦点は、その近傍（好ましくは、１０ｍｍ未満、できれば５ｍｍ未満の範囲内）にあれば、集光器６における反射面６.２の虚像の後方や前方に位置させることもできる、ということに留意されたい。
【００３９】
レンズ１０は、光軸８の上方に位置した（有利には焦点１０.３を通る）虚光軸８（一点鎖線）に関して対称な集束レンズであるのが得策である、ということにも留意されたい。
【００４０】
集光器６の反射面６.２は、それが楕円状である場合には、レンズ１０の前方に位置して光軸８から距離の置かれた第２の焦点を有している。この焦点は、レンズの近傍にあるのであれば、レンズの入光面上でのビームの幅を減少させるよう、レンズの後方および／または光軸上に位置させることもできる、ということに留意されたい。
【００４１】
光源４および集光器６が第１光源および第１集光器であるのが有利であり、その場合、装置は、或いは第２光源１４および第２集光器１６（破線で描かれている）を備えている。この場合、第１光源４および第１集光器６（これらが第１発光モジュールを形成する）と、第２光源１４および第２集光器１６（これらが第２発光モジュールを形成する）とは、光軸８に対して反対の側にある。より特定的には、第１光源４と第２光源１４とは、光軸８の通る共通基板の反対側の面上にある。
【００４２】
図２は、図１の発光装置２における集光器６の後方からの斜視図である。保持体６.１の殻体ないしキャップの形状と、反射面６.２（図示せず）が後方縁部６.２.１を有しているという事実とが分かるであろう。保持体６.１が、従って反射面６.２が、平面によって境界付けられた、好適には対称な回転面の殻体を形成しているという事実のために、当該の平面が後方縁部６.２.１を含んでいるのである。後方縁部は、この平面内において、回転の軸線の両側で左右へ伸びている。反射面６.２に光源から光が当てられたときには、その表面の全体が照らされるが、当該表面は、特に後方縁部６.２.１によって境界付けられているのである。
【００４３】
図３は、光軸に沿って外側から見た集光器の反射面６.２上における光強度を表現したものである。それは、集光器の反射面６.２の虚像（その像は、反射鏡７（図１）によって作り出される）の投射像の問題である。具体的には、それは表面の放射照度、即ち、当該表面の方向に垂直な電磁放射の入射における、Ｗ／ｍ２で表される単位面積当たりの仕事率の問題である。表面の大部分に及ぶ暗い区域がより低い放射照度に対応するのに対して、もっと明るい中央区域はより高い放射照度に対応している。暗い区域が下方縁部６.２.１によって明瞭に境界付けられているのが分かるであろう。換言すれば、被照射面６.２は本来、この面を映し出す投射照明ビーム内にカットオフを形成することのできる鮮明な下方縁部を有すると共に、光源と同じ高さにある中央位置での光の集中をも有しているのである。
【００４４】
図４は、図１の発光装置によって投射される像の図式的表現である。水平軸線Ｈと鉛直軸線Ｖとが発光装置の光軸上で交差している。これらの曲線は等照度曲線、即ちルクスで表される輝度が同じである光ビーム１２の部位に対応した曲線である。中央部の曲線は、周縁部よりも高い輝度レベルに対応している。
【００４５】
図４では、光ビーム１２が、本質的に水平軸線と同じ高さにある平坦な下方カットオフを含んでいることが分かるであろう。カットオフは完全に真っ直ぐではなく、かくして作り出される像の収差に対応した湾曲を有している。いずれにしても平坦なカットオフは、集光器６の反射面６.２の後方縁部（図２）であるところの縁部６.２.１（図３）によって作り出されるものである。この目的のためには、反射面の虚像上におけるこの縁部（図３）の近傍、即ち（第１）光源４の虚光源４の後方に、レンズ１０の焦点１０.３（図１）が位置しているのが有利である。作り出される照明ビームが、水平軸線Ｈの上方に強い光の集中を含んでいることも分かるであろう。
【００４６】
この光ビーム１２はかくして、ロービーム型の照明機能を補完するハイビーム型の照明機能を遂行するのに特に適しているのである。
【００４７】
図５は、本発明の第１実施形態（即ち、図１に示した実施形態）の発光装置２における一変形例の模式的表現である。この変形例は、発光装置２’の各構成要素が光軸８に関して１８０°反転されている点で図１と異なっているが、他の全ての点では或いは同等である。
【００４８】
作り出される光ビーム１２’（図４と比較されるべきもの）が図６に示されている。発光像が反転されているのが分かるであろう。即ち、その発光像は、上方の平坦なカットオフと、水平軸線の下方および水平軸線と同じ高さにある光の集中とを含んでいるのである。この光ビームは、ロービーム型の機能を遂行するのに特に適している。
【００４９】
図７は、本発明の第２実施形態による発光装置の模式図である。対応したり同一であったりする要素を示すのに第１実施形態の参照符号が用いられているが、これらの符号の数字は１００だけ増やされている。更に、これら要素の第１実施形態の文脈でなされた説明が援用される。この実施形態に特有の要素を示すのに、１００から２００の間に含まれる特有の符号が用いられている。
【００５０】
この第２実施形態は本質的に、光源および反射面の虚像を形成するように構成された反射鏡が、異なるように、即ち光軸１０８上か、少なくともその近傍に配置されている点において図１の第１実施形態と異なっている。具体的には、反射鏡１０７が光軸１０８に沿って伸びているが、その光軸１０８は、光源１０４の保持体と整列させられているのが有利である。集光器の反射面１０６.２は、光源１０４によって放出された各光線を反射鏡へ向かって反射するように構成されている。反射されたこれらの光線は、反射面１０６.２および光源１０４の虚像１０６.２および１０４に対応したものであり、これらは破線で描かれている。そして作り出される光ビーム１１２は、本質的に図４に示す第１実施形態の光ビーム１２に対応することとなる。
【００５１】
第１実施形態と同様、レンズ１１０は、虚光源と反射面の虚像との間に位置するのが有利な焦点１１０.３を有し得る。当該の焦点１１０.３は、反射面１０６.２の虚像１０６.２と光源１０４の虚像１０４との間に位置した区域１０６.３内に置かれているのが有利である。この場合、焦点は、軸線方向において（即ち、光軸に沿って）光源１０４の虚像１０４の後方で、反射面１０６.２の虚像１０６.２上に置かれていてよい。この焦点は、その近傍（好ましくは、１０ｍｍ未満、できれば５ｍｍ未満の範囲内）にあれば、反集光器１０６における反射面１０６.２の虚像１０６.２の後方や前方に位置させることもできる、ということに留意されたい。
これもまた第１実施形態と同様、反射鏡１０７（より特定的には、その平坦な反射面１０７.２）は、光軸１０８と平行であることが有利である。但し、それは当該軸に対して、例えば１０°以下の角度だけ傾いていてもよい。
【００５２】
これもまた第１実施形態と同様、光源１０４および集光器１０６が第１光源および第１集光器であるのが有利であり、その場合、装置は、或いは第２光源および第２集光器を備えている。この場合、一方の第１光源１０４および第１集光器１０６と、他方の第２光源および第２集光器とは、光軸８に対して反対の側にあってよい。或いは、それらの光源および集光器同士が横並びで配置されていてもよい。
【００５３】
図８は、本発明の第２実施形態（即ち、図７に示した実施形態）の発光装置１０２における一変形例の模式的表現である。この変形例は、発光装置１０２’の各構成要素が光軸１０８に関して１８０°反転されている点で図７と異なっているが、他の全ての点では或いは同等である。
【００５４】
作り出される光ビーム１１２’は本質的に、図５の発光装置によって作り出される図６に示す光ビーム１２’に相当するものである。それは、図７の発光装置によって作り出される本質的に図４のものに相当した光ビーム１１２に対して反転された発光像の問題である。即ち、その発光像は、上方の平坦なカットオフと、水平軸線Ｈの下方および水平軸線Hと同じ高さにある光の集中とを含んでいるのである。この光ビームは、ロービーム型の照明機能を遂行するのに特に適している。
【００５５】
ここまで説明してきた各発光装置は概して、被照射反射面を映し出すことによって、鉛直方向に中心から外れた位置での光の集中を伴った光ビームが作り出されることを可能とする点において特に有利なものである。これらのビームは、ロービーム機能やハイビーム機能を遂行するのに特に有用なものである。また、これらの発光装置は、反射鏡の使用を通じて、光源、および光源に関連付けられた集光器を反転させることを可能とし、かくして体積上の制約に適応することを可能とする。
【図１】
2020149976.tif 000003
【図２】
2020149976.tif 000004
【図３】
2020149976.tif 000005
【図４】
2020149976.tif 000006
【図５】
2020149976.tif 000007
【図６】
2020149976.tif 000008
【図７】
2020149976.tif 000009
【図８】
2020149976.tif 000010
【外国語明細書】
2020149976000001.pdf